(57)【要約】【課題】通気間隙への水の浸入が十分に防止される水切り材及び水切り材取付構造を提供する。【解決手段】布基礎１０上に基礎パッキン１３を介して土台１１が設置され、布基礎１０と土台１１との間に通気間隙１５が形成されている。水切り材３０は、取付壁部３１と、該取付壁部３１の下端から前方に延出した傾斜突出壁部３２と、該傾斜突出壁部３２の前縁から垂下する突出端壁部３３と、該突出端壁部３３の下端から後方に向って延設された底壁部３４とを有している。この底壁部３４に複数の通気孔３５が設けられている。底壁部３４の後縁側は、後方ほど高位となる傾斜部３６となっている。この傾斜部３６の後縁から前方に水返し部３７が延設されている。水切り材３０は、傾斜部３６を布基礎１０の上端前縁に当接させるようにして固着具１９によって土台１１に取り付けられる。【選択図】図１
2008174995.tif 000002
【特許請求の範囲】
【請求項１】
基礎上の部材の建物外方を向いた面に上下方向に取り付けられる取付壁部と、
該取付壁部の下部から前方へ下り勾配となる傾斜突出壁部と、
該傾斜突出壁部の先端から垂下する突出端壁部と、
該突出端壁部の下部に連なり、後方に延在した底壁部と
を有し、該底壁部には、ネズミが侵入できない大きさで、かつ、通気量が得られる数の通気孔が形成され、更に、取付状態で、該底壁部の後部が布基礎に当接するようになる建物外壁の水切り材において、
該底壁部の後部は、後方ほど高位となる傾斜部と、該傾斜部の後縁から前方へ延出した水返し部とを有することを特徴とする建物外壁の水切り材。
【請求項２】
請求項１において、前記傾斜部は、下に向って凸となるように湾曲していることを特徴とする建物外壁の水切り材。
【請求項３】
請求項２において、前記傾斜部から水返し部にかけて連続して湾曲していることを特徴とする水切り材。
【請求項４】
請求項１ないし３のいずれか１項に記載の水切り材が布基礎上の部材の建物外方を向いた面に取り付けられた水切り材取付構造であって、
前記傾斜部が該布基礎に当接していることを特徴とする水切り材取付構造。
【請求項５】
請求項４において、前記水切り材は、請求項２又は３の水切り材であり、前記傾斜部の前後方向の途中部分が前記布基礎の前面上端の角縁に弾性的に当接していることを特徴とする水切り材取付構造。
【請求項６】
請求項４において、前記水切り材は、請求項２又は３の水切り材であり、前記傾斜部の後縁が前記布基礎の前面に弾性的に当接していることを特徴とする水切り材取付構造。
【発明の詳細な説明】
【技術分野】
【０００１】
本発明は、住宅などの建築物に取付ける水切り材と、この水切り材の取付構造に関する。
【背景技術】
【０００２】
建物外壁の下端縁には、壁面を伝って流下してきた雨水を、外方に案内して滴下させる為の水切り材が取付けられる。
また、布基礎と土台との間に合成樹脂製の基礎パッキンを介装して換気用の通気スペースを設ける換気構造も多く用いられている。
この換気スペースには、ネズミなどの侵入を防ぐ処置を採ることが義務付けられている。実登３０３１１２３には、水切り材に通気防鼠機能をもたせたものが記載されている。
第７図は実登３０３１１２３の水切り材端部を示す傾斜図、第８図はその施工状態を示す縦断面図である。
第７図の通り、水切り材１は、取付壁部２と、傾斜突出壁部３と、突出端壁部４と、底壁部５とからなる。この水切り材１は、通常、薄鋼板、薄アルミニウム板、薄ステンレス板などの薄金属板からの板金加工や、アルミニウム合金や合成樹脂材などの押出加工などで製造される。
【０００３】
底壁部５には多数の通気孔６が穿設されている。この通気孔６は、ネズミなどの侵入を阻止できるように孔の大きさが定められ、かつ、充分な通気量を得られるように孔の数が定められる。７は毛細管現象による水返し用の凸条、８は底壁部５に設けた化粧モルタル塗り施工用の寸法目印凹条である。
【０００４】
第８図中、１０は布基礎、１１は土台、１２は外装材、１３は基礎パッキン、１４は化粧モルタル層である。水切り材１は、その取付壁部２を、土台１１に対して釘止め方式などで固定される。また、水切り材１の取付けに際しては、底壁部５の後端縁が布基礎１０の上端縁、またはその近傍に当接するように位置決めする。化粧モルタル１４は水切り材１の取付後に塗り施工される。
【０００５】
水切り材１の取り付けにより、外装材１２の外面を伝って流下してきた雨水は、傾斜突出壁部３上に落下して、傾斜に沿って外方に案内され、突出端壁部４の下端縁から滴下するようになる。また、底壁部５には通気孔６があって、下方に開口しているので、外気は、この通気孔６から自由に流入し、基礎パッキン１３によって形成された布基礎１０と土台１１との通気間隙１５を通って床下に流れ込む。
通気及び防鼠機能を有した別の水切り材として第９図に示すものが特開２００４−１３７８６８の図１６に記載されている。
この第９図の水切り材２０では、底壁部２１の後縁にＵ字状の嵌合部２２を設け、この嵌合部２２に水切シール２３を嵌着し、この水切シール２３を布基礎に当接させている。
【特許文献１】実登３０３１１２３
【特許文献２】特開２００４−１３７８６８
【発明の開示】
【発明が解決しようとする課題】
【０００６】
上記第７，８図に示した水切り材では、雨水が吹き込むことなどにより通気孔６から水切り材１内に水が浸入した場合、この水が通気間隙１５を通って床下に入り込み易い。
【０００７】
第９図に示した水切り材２０によれば、嵌合部２２が通気孔の後方に起立しているため、雨水の浸入はある程度防止されるが、嵌合部２２が比較的低いため、雨水の浸入防止は十分ではない。また、嵌合部２０を越えた水が水切シール２３の上に溜ってしまう。
【０００８】
本発明は、上記従来の問題点を解決し、通気間隙への水の浸入が十分に防止される水切り材及び水切り材取付構造を提供することを目的とする。
【課題を解決するための手段】
【０００９】
本発明の水切り材は、基礎上の部材の建物外方を向いた面に上下方向に取り付けられる取付壁部と、該取付壁部の下部から前方へ下り勾配となる傾斜突出壁部と、該傾斜突出壁部の先端から垂下する突出端壁部と、該突出端壁部の下部に連なり、後方に延在した底壁部とを有し、該底壁部には、ネズミが侵入できない大きさで、かつ、通気量が得られる数の通気孔が形成され、更に、取付状態で、該底壁部の後部が布基礎に当接するようになる建物外壁の水切り材において、該底壁部の後部は、後方ほど高位となる傾斜部と、該傾斜部の後縁から前方へ延出した水返し部とを有することを特徴とするものである。
前記傾斜部は、下に向って凸となるように湾曲していてもよい。この場合、該傾斜部から水返し部にかけて連続して湾曲していてもよい（請求項２，３）。
【００１０】
本発明の水切り材取付構造は、上記本発明の水切り材が布基礎上の部材の建物外方を向いた面に取り付けられた水切り材取付構造であって、前記傾斜部が布基礎に当接していることを特徴とするものである。
【００１１】
水切り材が、請求項２又は３の水切り材である場合、傾斜部の前後方向の途中部分が布基礎の前面上端の角縁に弾性的に当接していることが好ましいが、該傾斜部の後縁が布基礎の前面に弾性的に当接していても良い。
【発明の効果】
【００１２】
本発明の水切り材及び水切り材取付構造では、底壁部の後部が、後方ほど高位となる傾斜部と、この傾斜部の後縁から前方へ延出した水返し部とを備えている。この水返し部により、通気間隙への水の浸入が十分に防止される。また、傾斜部に水が入り込んでも、傾斜部を流れ下って通気孔から速やかに排出される。
【００１３】
この傾斜部を下に向って凸に湾曲した形状とすることにより、傾斜部を弾性的に湾曲させて布基礎に当接させることができる。
【００１４】
この傾斜部は、布基礎などの基礎の前面の上端角縁に当接してもよく、基礎の前面に当接してもよい。前者のように基礎の前面の上端角縁に傾斜部を当接させた場合には、通気間隙への水の浸入を極めて十分に防止することができる。
【発明を実施するための最良の形態】
【００１５】
以下、図面を参照して実施の形態について説明する。第１図は実施の形態に係る水切り材３０及び水切り材取付構造を示す縦断面図である。
【００１６】
前記第７，８図と同様に、布基礎１０上に基礎パッキン１３を介して土台１１が設置され、布基礎１０と土台１１との間に通気間隙１５が形成されている。
【００１７】
水切り材３０は、土台１１の前面に釘やビス等の固着具１９によって固定される取付壁部３１と、該取付壁部３１の下端から前方に延出した、前方に向って若干（例えば１〜２０°）の下り勾配を有している傾斜突出壁部３２と、該傾斜突出壁部３２の前縁から垂下する突出端壁部３３と、該突出端壁部３３の下端から後方に向って延設された底壁部３４とを有している。この底壁部３４に複数のスリット状の通気孔３５が設けられている。通気孔３５は防鼠する大きさ、形状のものである。この通気孔３５と前記通気間隙１５とを介して通気（床下換気）が行われる。
【００１８】
底壁部３４のこの通気孔３５よりも後縁側は、後方ほど高位となる傾斜部３６となっている。この傾斜部３６の後縁から前方に水返し部３７が延設されている。
【００１９】
この実施の形態では、傾斜部３６は下方に向って凸に湾曲している。また、水返し部３７は略々水平に延在している。
【００２０】
この水切り材３０は、薄肉の金属板を折曲加工して成形したものが好適である。
【００２１】
この水切り材３０は、傾斜部３６を布基礎１０の上端前縁の角縁に当接させるようにして固着具１９によって土台１１に取り付けられる。傾斜部３６は、下方に向かって凸に湾曲しているため、布基礎１０の前部角縁に弾性的に当接する。また、土台１１が若干後退したり突出して設けられていても、傾斜部３６のたわみが変わることにより、該傾斜部３６が布基礎１０の角縁に当接する。この際、傾斜部３６以外の部分は殆ど又は全く変形しないので、外観が良好である。
【００２２】
水返し部３７は、通気を良くするために、土台１１の下面レベルよりも若干（例えば１０〜３０ｍｍ程度）下位となるようにするのが好ましい。
【００２３】
このように水切り材３０を取り付けた建物外壁にあっては、通気孔３５から水切り材３０内に水が浸入しても、水返し部３７によって通気間隙１５への浸入が防止される。特に、水返し部３７のレベルが布基礎１０の上面よりも高いので、通気間隙１５への水の浸入が十分に防止される。
【００２４】
また、水返し部３７にはね返された水は、傾斜部３６に沿って流れ下り、通気孔３５から速やかに排出される。
【００２５】
第１図では、水切り材３０は全体として一連一体となっているが、第２図の水切り材３０Ａのように、傾斜部３６及び水返し部３７を本体側と別体とし、第３図のように接着剤３８や、第４図のようにビス、リベット等の留付具３９によって本体側に固着するようにしてもよい。
【００２６】
第１図〜第４図の水切り材３０，３０Ａでは、傾斜部３６の前後方向の途中を布基礎１０の角縁に当接させているが、第５図の水切り材３０Ｂや第６図の水切り材３０Ｃのように、傾斜部３６の後縁を布基礎１０の前面に当接させてもよい。
【００２７】
第５図、第６図においても、傾斜部３６は下方に向って凸に湾曲しており、その後縁を布基礎１０の前面に弾性的に当接させたときに主として傾斜部３６がたわみ、水切り材のその他の部分は全く又は殆ど変形せず、外観が良好である。
【００２８】
上記実施の形態はいずれも本発明の一例であり、本発明は図示以外の態様をもとりうる。例えば、基礎は布基礎以外のものであってもよい。
【図面の簡単な説明】
【００２９】
【図１】実施の形態に係る水切り材及び水切り材取付構造を示す縦断面図である。
【図２】別の実施の形態に係る水切り材の分解側面図である。
【図３】別の実施の形態に係る水切り材の分解側面図である。
【図４】別の実施の形態に係る水切り材の分解側面図である。
【図５】異なる実施の形態に係る水切り材及び水切り材取付構造を示す縦断面図である。
【図６】さらに異なる実施の形態に係る水切り材及び水切り材取付構造を示す縦断面図である。
【図７】従来の水切り材の斜視図である。
【図８】図７の水切り材の取付構造を示す縦断面図である。
【図９】別の従来例を示す縦断面図である。
【符号の説明】
【００３０】
１０  布基礎
１１  土台
１５  通気間隙
３０，３０Ｂ，３０Ｃ  水切り材
３６  傾斜部
３７，３７Ｂ，３７Ｃ  水返し部
【図１】
2008174995.tif 000003
【図２】
2008174995.tif 000004
【図３】
2008174995.tif 000005
【図４】
2008174995.tif 000006
【図５】
2008174995.tif 000007
【図６】
2008174995.tif 000008
【図７】
2008174995.tif 000009
【図８】
2008174995.tif 000010
【図９】
2008174995.tif 000011